(57)【要約】    【課題】  従来の装置に比べてより簡素な構造で、冷媒ぬれ面積を増加させて冷却性能を向上させることができる冷却装置を提供することを目的とする。    【解決手段】  冷却対象に向けて冷媒を噴射し、冷却対象を冷却する冷却装置が提供される。冷媒が流れる冷媒通路１０ｂを含み、冷却対象であるコイルエンド６ｂに向けて冷媒を噴射可能な位置に設けられたパイプ本体１０ａと、パイプ本体１０ａに穿設され、冷却対象を臨む位置に設けられた冷媒噴射孔であって、冷媒を冷却対象に向けて噴射する冷媒噴射孔１１とを備え、冷媒噴射孔１１は、縦方向の一端１１ａから他端１１ｂに向かって横方向幅ＬＷが「０」から徐々に増加し、最大幅ＬＷＭＡＸに達したのちの徐々に減少し、他端１１ｂにおいて「０」となる形状を有し、一端１１ａから他端１１ｂまでの縦方向長さＬＬに対する最大幅ＬＷＭＡＸの比率ＲＬＷは所定比率ＲＬＷＴＨ以下である。【選択図】  図３
2019161742.tif 000002
【特許請求の範囲】
【請求項１】
冷却対象に向けて冷媒を噴射し、前記冷却対象を冷却する冷却装置において、
前記冷媒が流れる冷媒通路を含み、前記冷却対象に向けて前記冷媒を噴射可能な位置に設けられた通路形成部材と、
前記通路形成部材に穿設され、前記冷却対象を臨む位置に設けられた噴射孔であって、前記冷媒通路内の冷媒を前記冷却対象に向けて噴射する噴射孔とを備え、
前記噴射孔は、縦方向の一端から他端に向かって横方向幅が「０」から徐々に増加し、最大幅に達したのちの徐々に減少し、前記他端において「０」となる形状を有し、前記一端から他端までの縦方向長さに対する前記最大幅の比率が所定比率以下であることを特徴とする冷却装置。
【請求項２】
前記噴射孔は、断面がＶ字形であるＶ溝であって、前記通路形成部材が延びる方向に対して直角の方向に延びるＶ溝を前記通路形成部材に穿設することによって形成されることを特徴とする請求項１に記載の冷却装置。
【請求項３】
前記通路形成部材は円筒状のパイプであり、前記パイプの外径に対する前記冷媒通路の径の比率は、前記Ｖ溝が穿設されていない場合より小さく設定されることを特徴とする請求項２に記載の冷却装置。
【請求項４】
前記通路形成部材は樹脂製であり、前記噴射孔の周囲に補強壁が形成されていることを特徴とする請求項１に記載の冷却装置。
【請求項５】
前記通路形成部材は、その断面形状が三角形状、または三角形状の一辺が円弧状に形成されたパイプであることを特徴とする請求項１または２に記載の冷却装置。
【請求項６】
前記冷却対象は、回転電機を構成するステータであり、前記回転電機は回転軸と、前記ステータの内側において前記回転軸に固定され、前記ステータが生成する磁束によって回転するロータとを備え、前記通路形成部材は、前記回転軸の軸方向に延びるように設けられていることを特徴とする請求項１から５の何れか１項に記載の冷却装置。
【発明の詳細な説明】
【技術分野】
【０００１】
本発明は、冷却対象（例えば回転電機を構成する部材）に向けて冷媒を噴射して、冷却対象を冷却する冷却装置に関する。
【背景技術】
【０００２】
特許文献１は、回転電機のステータの上方にモータの回転軸方向に設けられた冷却パイプであって、冷媒を様々な角度で噴射可能な噴射孔を複数備える冷却パイプによって、冷媒をステータのコイルエンドに噴射する冷却装置を開示する。この装置によれば、コイルエンドの広範囲に亘って冷媒を噴射することができる。
【０００３】
特許文献２は、回転電機のステータコアの周方向に延在する管部材に２カ所以上の冷媒噴射部を備え、ステータコアに巻回されたコイルの両端部（コイルエンド）に向けて冷媒を噴射する回転電機の冷却装置を開示する。この装置によれば、コイルエンドの周方向を均一に冷却することができる。
【先行技術文献】
【特許文献】
【０００４】
【特許文献１】特開２０１６−１３４９７２号公報
【特許文献２】特開２０１６−１２９４３８号公報
【発明の概要】
【発明が解決しようとする課題】
【０００５】
上記従来の冷却装置は、冷媒を噴射する噴射部（噴射孔）の設置数を増加させることによって、冷却対象の表面において冷媒に接触する領域の面積である冷媒ぬれ面積を増加させ、冷却能力を高めるものであるが、構造をより簡素化してコストを低減する上で改善の余地があった。
【０００６】
本発明はこの点に着目してなされたものであり、従来の装置に比べてより簡素な構造を用いて冷媒ぬれ面積を増加させ、冷却能力を向上させることができる冷却装置を提供することを目的とする。
【課題を解決するための手段】
【０００７】
上記目的を達成するため請求項１に記載の発明は、冷却対象（６）に向けて冷媒を噴射し、前記冷却対象（６）を冷却する冷却装置において、前記冷媒が流れる冷媒通路（１０ｂ）を含み、前記冷却対象（６）に向けて前記冷媒を噴射可能な位置に設けられた通路形成部材（１０ａ）と、前記通路形成部材（１０ａ）に穿設され、前記冷却対象（６）を臨む位置に設けられた噴射孔であって、前記冷媒通路（１０ｂ）内の冷媒を前記冷却対象（６）に向けて噴射する噴射孔（１１）とを備え、前記噴射孔（１１）は、縦方向の一端（１１ａ）から他端（１１ｂ）に向かって横方向幅（ＬＷ）が「０」から徐々に増加し、最大幅（ＬＷＭＡＸ）に達したのちの徐々に減少し、前記他端（１１ｂ）において「０」となる形状を有し、前記一端（１１ａ）から他端（１１ｂ）までの縦方向長さ（ＬＬ）に対する前記最大幅（ＬＷＭＡＸ）の比率（ＲＬＷ）が所定比率（ＲＬＷＴＨ）以下であることを特徴とする。
【０００８】
この構成によれば、噴射孔の縦方向に、冷媒が扇状に広がって噴射されるので、簡単な構成で冷媒ぬれ面積を増加させることが可能となり、従来の円形の噴射孔の場合と比べて冷却能力を向上させることができる。また単純なスリット形状（長辺に比べて短辺が非常に短い矩形）の噴射孔の場合には、冷媒の圧力が低いときには、表面張力の影響が大きくなって冷媒がスリットの両端部に集中して噴射されるという課題があるが、本発明の噴射孔では冷媒圧力が低圧であっても扇状の冷媒噴射流（縦方向の流量分布がほぼ一定の噴射流）を得ることができる。
【０００９】
請求項２に記載の発明は、請求項１に記載の冷却装置において、前記噴射孔（１１）は、断面がＶ字形であるＶ溝であって、前記通路形成部材（１０ａ）が延びる方向に対して直角の方向に延びるＶ溝（１２）を前記通路形成部材（１０ａ）に穿設することによって形成されることを特徴とする。
【００１０】
この構成によれば、グラインダなどの工具によって、通路形成部材にＶ溝を穿設することができ、かつＶ溝を穿設することによって上記形状の噴射孔を容易に形成することができる。
【００１１】
請求項３に記載の発明は、請求項２に記載の冷却装置において、前記通路形成部材（１０ａ）は円筒状のパイプであり、前記パイプの外径（ＤＰ）に対する前記冷媒通路の径（ＤＣ）の比率は、前記Ｖ溝が穿設されていない場合より小さく設定されることを特徴とする。
【００１２】
この構成によれば、パイプ外径に対する冷媒通路径の比率が、Ｖ溝が穿設されていない場合より小さく設定される、すなわち冷媒通路を画成する通路形成部材の厚さが大きく設定されるので、Ｖ溝の穿設することによる通路形成部材の強度の低下を抑制することができる。
【００１３】
請求項４に記載の発明は、請求項１に記載の冷却装置において、前記通路形成部材（４０ａ）は樹脂製であり、前記噴射孔（４１）の周囲に補強壁（４２）が形成されていることを特徴とする。
この構成によれば、樹脂製の通路形成部材が使用され、噴射孔の周囲に補強壁が形成されるので、噴射孔周辺における通路形成部材の強度の低下を補強壁によって抑制することができる。
【００１４】
請求項５に記載の発明は、請求項１または２に記載の冷却装置において、前記通路形成部材は、その断面形状が三角形状、または三角形状の一辺が円弧状に形成されたパイプ（６０ａ，５０ａ）であることを特徴とする。
【００１５】
この構成によれば、断面形状が三角形状、または三角形状の一辺が円弧状に形成されたパイプによって通路形成部材が構成されるので、単純な円筒状のパイプに比べて、横方向から加わる力に対する強度（曲げ強度）が高くなるため、噴射孔の部分における強度の低下を抑制することができる。
【００１６】
請求項６に記載の発明は、請求項１から５の何れか１項に記載の冷却装置において、前記冷却対象は、回転電機（１）を構成するステータ（６）であり、前記回転電機（１）は回転軸（３）と、前記ステータ（６）の内側において前記回転軸（３）に固定され、前記ステータ（６）が生成する磁束によって回転するロータ（７）とを備え、前記通路形成部材（１０ａ）は、前記回転軸（３）の軸方向に延びるように設けられていることを特徴とする。
この構成によれば、簡単な構成によって回転電機のステータの冷却能力を高めることができる。
【図面の簡単な説明】
【００１７】
【図１】本発明の一実施形態にかかる冷却装置を適用した回転電機の構成を示す断面図である。
【図２】図１に示す冷媒噴射パイプ（１０）及びコイルエンド（６ｂ）を側方からみた状態を説明するための図である。
【図３】図１に示す冷媒噴射パイプ（１０）及び冷媒噴射孔（１１）の構造を説明するための図である。
【図４】図３に示す構造をより詳細に説明するための図である。
【図５】噴射された冷却オイルの状態を説明するための図である。
【図６】図３に示す冷媒噴射孔の変形例を示す図ある。
【図７】図３に示す冷媒噴射パイプの変形例を示す図である。
【図８】図３に示す冷媒噴射パイプの他の変形例を示す図である。
【図９】冷媒噴射パイプの配置に関する変形例を示す図である。
【図１０】冷媒噴射パイプに代えて適用可能な変形例を示す図である。
【図１１】冷媒噴射パイプに代えて適用可能な変形例を示す図である。
【発明を実施するための形態】
【００１８】
以下本発明の実施の形態を図面を参照して説明する。
図１は本発明の一実施形態にかかる冷却装置を適用した回転電機の構成を示す断面図であり、回転電機１は、ケーシング２に固定され、磁束を生成するステータ６と、ケーシング２に軸受４及び５を介して回転可能に支持された回転軸３と、ステータ６の内側において回転軸３に固定され、ステータ６が生成する磁束によって回転する円柱状のロータ７と、ステータ６の上方に設けられ、冷媒としての冷却オイルを噴射する冷媒噴射パイプ１０とを備えている。冷媒噴射パイプ１０には、ケーシング２に設けられた冷媒通路９を介して冷却オイルが供給される。冷媒通路９には、図示しないオイルポンプ及びオイル通路を介して冷却オイルが供給される。オイルポンプは、例えば回転軸３の回転によって得られる駆動トルクの一部を用いて駆動される。
【００１９】
ステータ６は、ステータコア６ａと、ステータコア６ａに巻回されたステータコイル６ｂによって構成され、ステータ６の軸方向の両端部に位置する部分は通常「コイルエンド」と呼ばれるため、以下の説明では「コイルエンド６ｂ」という。
【００２０】
冷媒噴射パイプ１０は、回転軸３と平行に延びる（軸方向の延びる）ように設けられており、加圧された冷却オイルが冷媒通路９を介して冷媒噴射パイプ１０に供給され、コイルエンド６ｂの上方に設けられた２つの冷媒噴射孔１１からコイルエンド６ｂに向けて冷却オイルが噴射される。冷媒噴射パイプ１０及び冷媒噴射孔１１が本発明の冷却装置を構成する。
【００２１】
図２は、冷媒噴射パイプ１０及びコイルエンド６ｂを側方からみた状態を説明するための図であり、ステータ６は取り付け部材１５を介してケーシング２に固定されている。この図に示す角度範囲ＩＲが冷媒噴射孔１１から噴射される冷却オイルの噴射角度範囲を模式的に示しており、コイルエンド６ｂに向けて冷却オイルが扇状に広がって噴射される。噴射された冷却オイルは、太い破線で示すようにコイルエンド６ｂの外周面に沿って流れ下る。
【００２２】
図３は、冷媒噴射パイプ１０及び冷媒噴射孔１１の構造を説明するための図であり、同図（ａ）は冷媒噴射パイプ１０を下方からみた図、同図（ｂ）は冷媒噴射孔１１を拡大して示す図、同図（ｃ）及び（ｄ）はそれぞれ冷媒噴射パイプ１０の冷媒噴射孔１１における横断面図及び縦断面図である。
【００２３】
冷媒噴射パイプ１０は、パイプ本体１０ａと、冷却オイルが流れる冷媒通路１０ｂと、冷媒通路１０ｂから冷却オイルを外部に向けて噴射する２つの冷媒噴射孔１１とによって構成される。図３（ｂ）に縦方向ＤＲＬ及び横方向ＤＲＷが矢印で示されており、冷媒噴射孔１１は、縦方向ＤＲＬの一端１１ａから他端１１ｂに向かって横方向幅ＬＷが「０」から徐々に増加し、最大幅ＬＷＭＡＸに達したのちの徐々に減少し、他端１１ｂにおいて「０」となる形状を有し、一端１１ａから他端１１ｂまでの縦方向長さＬＬに対する最大幅ＬＷＭＡＸの比率ＲＬＷが所定比率ＲＬＷＴＨ以下となるように、縦方向長さＬＬ及び最大幅ＬＷＭＡＸが設定される。本実施形態の冷媒噴射孔１１は、２つの円弧を交差させた２つの曲線によって画成される形状を有する。比率ＲＬＷは所定比率ＲＬＷＴＨ以下とするが、必要な冷媒噴射量を確保可能な値に設定することはいうまでもない。
【００２４】
所定比率ＲＬＷＴＨは、使用する冷媒の粘性、使用時の冷媒温度、及び望ましい噴射角度範囲（目標噴射角度範囲）に応じて、実験によって決められた値に設定される。大まかには、冷媒の粘性が低下するほど、冷媒温度が高くなるほど、目標噴射角度範囲が広くなるほど、所定比率ＲＬＷＴＨはより小さな値に設定される。本実施形態では、比率ＲＬＷは例えば「０．１２５」に設定される。実験によれば、比率ＲＬＷを「０．１７」程度より大きくすると、噴射角度範囲が小さくなるとともに、冷媒通路１０ｂ内を流れる冷媒の方向及び流量に依存して冷却対象に到達する位置が変化するという課題が発生する。
【００２５】
図３（ｅ）は、比率ＲＬＷが大きい場合における冷媒到達位置の変化を説明するための図であり、矢印を付した線（以下「矢線」という）ＦＭＬが冷媒通路１０ｂ内の冷媒の流れを示し、矢線ＦＩＬ１，ＦＩＬ２が噴射された冷媒の流れを示す。冷媒通路１０ｂ内の冷媒流量ＦＲが比較的大きいときには、実線の矢線ＦＩＬ１で示す流れとなり、冷媒流量ＦＲが低下すると、破線の矢線ＦＩＬ２で示す流れに変化する。
【００２６】
上述した点を考慮して、所定比率ＲＬＷＴＨは例えば「０．１７」程度に設定される。なお、比率ＲＬＷは所定比率ＲＬＷＴＨ以下であって、下限値ＲＬＷＬＬ（例えば「０．１」程度）以上とすることが望ましい。下限値ＲＬＷＬＬは、必要な冷媒噴射流量を確保可能な値として設定される。比率ＲＬＷの上記設定によれば、比較的広い噴射角度範囲が得られるとともに、冷媒はほぼ真下の向かって噴射されるので、冷却対象の目標位置に正確に噴射することができる。
【００２７】
冷媒噴射孔１１は、縦方向が冷媒噴射パイプ１０の延びる方向（回転軸方向）と直角となるように、コイルエンド６ｂを臨む位置に設けられている。冷却オイルは冷媒噴射孔１１からコイルエンド６ｂに向けて噴射される。パイプ本体１０ａは例えばステンレススチールを用いて構成される。
【００２８】
冷媒噴射孔１１は、具体的には、パイプ本体１０ａが延びる方向と垂直の方向に延びるＶ溝１２をパイプ本体１０ａに穿設することによって形成される。図４に示すように、Ｖ溝１２の深さをパラメータＺで示すことにすると（以下「Ｖ溝深さパラメータＺという）、Ｖ溝深さパラメータＺは下記式（１）で示され、縦方向長さＬＬは、下記式（２）で示される。
Ｚ＝ｒ×(１−cos(Ａ/２))                          （１）
ＬＬ＝２×ｒ×sin(Ａ/２)                          （２）
ここで、Ａは図４に示す吹き出し角度である。なお、図２に示す実際の噴射角度範囲ＩＲは、通常図４に示す理論上の吹き出し角度Ａより広がることが確認されている。
【００２９】
またＶ溝１２を形成する２つの面がなす角度を図４に示すようにＶ溝角度Ｂと定義すると、Ｖ溝角度Ｂは、Ｖ溝深さパラメータＺ及び最大幅ＬＷＭＡＸを用いて下記式（３）で示される。
Ｂ＝２×tan-1((ＬＷＭＡＸ/２)/Ｚ)                    （３）
【００３０】
したがって、例えばＶ溝１２を穿設する際に使用する工具の先端角度をＶ溝角度Ｂに設定することによって、望ましい吹き出し角度Ａの冷媒噴射孔１１をパイプ本体１０ａに設けることができる。なお、パイプ本体１０ａの外周面からのＶ溝１２の深さＤＰＴＨは、パイプ本体１０ａの厚さ（(DP-2r)/2）をＤＴとすると、（ＤＴ＋Ｚ）で示される。
【００３１】
グラインダなどの適当な工具を用いることによって、円筒状のパイプ本体１０ａにＶ溝１２を穿設することができ、かつＶ溝１２を穿設することによって図３に示すような形状の冷媒噴射孔１１を容易に形成することができる。
【００３２】
図５は、噴射された冷却オイルの状態を説明するための図であり、同図（ａ）は本実施形態の冷媒噴射パイプ１０に対応し、同図（ｂ）は従来の円形の冷媒噴射孔を備える冷媒噴射パイプ１０Ｘに対応する。同図（ｃ）は冷媒噴射孔を矩形スリット形状（短辺が長辺に比べて非常に短い長方形）とする冷媒噴射パイプ１０Ｙに対応する。同図（ｄ）は、同図（ｃ）に示す冷媒噴射パイプ１０Ｙを下方からみた図である。
【００３３】
円形の冷媒噴射孔の場合は、噴射孔とほぼ同一の径を有する円筒状の冷却オイル流が噴射されるのに対し、本実施形態の冷媒噴射パイプ１０によれば、縦方向ＤＲＬ（図３（ｂ）参照）に扇状に広がった平面状の冷却オイル流が噴射される。したがって、噴射された冷却オイルが直接到達する領域の面積が増加し、さらに図２に太い破線で示すように、冷却オイルが冷却対象であるコイルエンド６ｂの外周面を広がって流れ下るので、冷却能力を高めることができる。
【００３４】
また同図（ｃ）に示す矩形スリット形状の場合には、本実施形態と同様に扇状に広がった冷却オイル流が得られるが、冷媒の圧力が低下すると表面張力の影響が大きくなるため、広がった冷却オイル流の両端部の流量が多くなり、中心部の流量が少なくなる（または「０」となる）課題があるが、本実施形態の冷媒噴射孔１１は、中心部の開口幅が広くなる形状を有するので、冷媒の圧力が低下した場合でも、広がった冷却オイル流の流量が全体的に均一となる効果が得られる。図５（ｃ）では冷却オイル流を示す破線の間隔を広くして流量が減少することを示している。
【００３５】
なお本発明は上述した実施形態に限るものではなく、種々の変形が可能である。例えば、冷媒噴射パイプ１０は図６に示す冷媒噴射パイプ２０に代えてもよい。冷媒噴射パイプ２０は、菱形の形状を有する冷媒噴射孔２１と、その周縁部に設けられたＶ溝２２とを備えるものである。この変形例においても、縦方向長さＬＬに対する横方向の最大幅ＬＷＭＡＸとの比率ＲＬＷを所定比率ＲＬＷＴＨ以下とする。
【００３６】
また冷媒噴射パイプ１０はＶ溝１２を設けることで、横方向から力が加わった場合に変形し易くなる。そこでその点を改善するために、冷媒噴射パイプ１０を図７に示す冷媒噴射パイプ３０または４０に代えてもよい。
【００３７】
図７（ａ）に示す冷媒噴射パイプ３０は、パイプ本体３０ａと、冷媒通路３０ｂと、冷媒噴射孔３１とを備え、冷媒噴射孔３１はパイプ本体３０ａにＶ溝３２を穿設することによって形成されている。この変形例では、パイプ本体３０ａの外径ＤＰに対する内径ＤＣの比率（ＤＣ／ＤＰ）が、上述した実施形態より小さく設定されている。換言すればパイプ本体３０ａの厚さＤＴが相対的に大きく設定されており、Ｖ溝３２を穿設することによる強度の低下を抑制することができる。
【００３８】
図７（ｂ）に示す冷媒噴射パイプ４０は、材質が樹脂であり、樹脂成形によってパイプ本体４０ａ及び冷媒通路４０ｂが形成され、パイプ本体４０ａには、冷媒噴射孔４１が設けられるとともに、冷媒噴射孔４１の周囲に補強壁４２が形成されている。補強壁４２によって冷媒噴射孔４１の部分における強度の低下を抑制することができる。
【００３９】
図８は、冷媒噴射パイプ１０の他の変形例を示す。同図（ａ）に示す冷媒噴射パイプ５０は、パイプ本体５０ａと、冷媒通路５０ｂとを備え、パイプ本体５０ａは、冷媒噴射孔５４及びＶ溝５５が形成された湾曲板部材５１と、２つの平板部材５２，５３を接合して構成されている。湾曲板部材５１は、冷媒噴射パイプ１０のパイプ本体１０ａの下部に相当し、同一の円筒曲面形状に形成されている。したがって、冷媒噴射パイプ１０のＶ溝１２と同様に、Ｖ溝５５を穿設して冷媒噴射孔５４を形成することができる。
【００４０】
同図（ｂ）に示す冷媒噴射パイプ６０は、パイプ本体６０ａと、冷媒通路６０ｂとを備え、パイプ本体６０ａは、３つの平板部材６１〜６３を接合して構成され、平板部材５１に冷媒噴射孔６４及びＶ溝６５が形成されている。冷媒噴射パイプ１０のＶ溝１２を穿設する工具とは異なる工具を使用すれば、平板部材６１にＶ溝６５を穿設して、冷媒噴射孔１１と同一形状の冷媒噴射孔６４を形成することができる。
【００４１】
冷媒噴射パイプ５０または６０は、単純な円筒状のパイプに比べて、横方向から加わる力に対する強度（曲げ強度）が高くなるため、冷媒噴射孔の部分における強度の低下を抑制することができる。
【００４２】
なお、パイプ本体５０ａは、断面形状が三角形状の一辺を円弧状とすることによって形成されていればよく、例えば円筒状のパイプ（断面形状が円形状のパイプ）をプレス成形したパイプ、あるいはそのような断面形状を有する押し出しパイプによって構成するようにしてもよい。またパイプ本体６０ａは、断面形状が三角形状に形成されていればよく、パイプ本体５０ａと同様に円筒状のパイプをプレス成形したパイプ、あるいは三角形状の断面形状を有する押し出しパイプによって構成するようにしてもよい。
【００４３】
また上述した実施形態では、ステータ６の上方に１本の冷媒噴射パイプ１０を設けるようにしたが、例えば図９に示すように、２本の冷媒噴射パイプ１０Ａ，１０Ｂを設けるようにしてよい。このように冷媒噴射パイプの数を増加させることによって、さらに冷却能力を高めることができる。
【００４４】
また図１０に示すようにケーシング１０２の内壁面と、通路カバー１１３とによって冷媒通路１１０を構成し、通路カバー１１３を構成する部材を冷媒噴射パイプ１０と同一の外径の半円筒形状とすることによって、本発明の冷媒噴射孔１１と同様の冷媒噴射孔１１１を設けるようにしてもよい。この変形例では、ケーシング１０２及び通路カバー１１３が通路形成部材に相当する。
【００４５】
また図１１に示すように、ケーシング１２２そのものに、ドリルによる穿孔加工によって冷媒通路１２０を設け、上述した冷媒噴射孔１１と同一形状の２つの冷媒噴射孔１２１をコイルエンド６ｂに対向する位置に設けるようにしてもよい。
【００４６】
また上述した実施形態では、冷媒噴射パイプ１０は回転電機１の回転軸３の方向に延びるように設けたが、上記特許文献２に示されるように回転電機の軸方向の寸法が小さい場合には、冷媒噴射パイプ１０をステータ（コイルエンド６ｂ）の外周に沿う方向、または回転軸３と垂直の方向に直線状に延びるように設けてもよい。
【００４７】
また本発明にかかる冷却装置の冷却対象は、ステータ６のコイルエンド６ｂに限るものではなく、ステータ６全体を対象としてもよい。さらに本発明は例えば切削加工などの機械加工を行う場合において、高温になる加工対象物を冷却する冷却装置、あるいは電子計算機や制御装置に適用されるＣＰＵ（中央処理装置）を冷却する冷却装置などに適用可能である。また冷媒は、冷却オイルに限るものではなく、冷却水であってもよい。
【符号の説明】
【００４８】
１  回転電機
２  ケーシング
３  回転軸
６  ステータ
６ｂ  ステータコイル（コイルエンド）
７  ロータ
１０  冷媒噴射パイプ（冷却装置）
１０ａ  パイプ本体（通路形成部材）
１０ｂ  冷媒通路
１１  冷媒噴射孔
【図１】
2019161742.tif 000003
【図２】
2019161742.tif 000004
【図３】
2019161742.tif 000005
【図４】
2019161742.tif 000006
【図５】
2019161742.tif 000007
【図６】
2019161742.tif 000008
【図７】
2019161742.tif 000009
【図８】
2019161742.tif 000010
【図９】
2019161742.tif 000011
【図１０】
2019161742.tif 000012
【図１１】
2019161742.tif 000013